(57)【特許請求の範囲】
【請求項１】
ａ）周長を規定する複数のエッジを有する平坦な中心パネルと、
ｂ）周長を規定する複数のエッジを有する平坦な第１パネルであって、該第１パネルの１つの該エッジにて、前記中心パネルの１つの前記エッジと実質的同一位置にある折り線、シーム、溶接部または接着部を介して該中心パネルに接合される第１パネルと、
ｃ）周長を規定する複数のエッジを有する平坦な第２パネルであって、該第２パネルの１つの該エッジにて、前記中心パネルの１つの前記エッジと実質的同一位置にある折り線、シーム、溶接部または接着部を介して該中心パネルに接合される第２パネルとを具備し、
前記中心パネル、前記第１パネルおよび前記第２パネルの少なくとも１つがフィルター媒体から形成される、個人用の呼吸器保護装置において、
平坦に折り畳んで保管できるとともに、使用時には、折り畳んだ状態から、前記中心パネル、前記第１パネルおよび前記第２パネルの各々が折り目の無い形態を呈するように開いて、着用者の鼻および口を覆うカップ形状の空気室を形成でき、
前記中心パネルの前記周長よりも短い顔面接触縁部を有すること、
を特徴とする呼吸器保護装置。
【請求項２】
第１被覆ウェブと、帯電微細繊維群を含有するウェブを含んでなる濾過層と、第２被覆ウェブとを備える多層構造を具備し、該第１被覆ウェブおよび該第２被覆ウェブが、該濾過層の互いに反対側の第１面および第２面にそれぞれ配置され、該第１被覆ウェブおよび該第２被覆ウェブの少なくとも一方がスパンボンド繊維群を含んでなる、個人用の呼吸器保護装置において、
前記多層構造は、第１パネル、中心パネルおよび第２パネルを有し、該中心パネルが、第１および第２境界線によって該第１および第２パネルの各々から区分され、該第１パネル、該中心パネルおよび該第２パネルがいずれも襞を有さないものであり、
前記多層構造は、前記第１および第２境界線の各々で折ることができ、それにより呼吸器保護装置を、平坦に折り畳んで保管できるとともに、使用時には、折り畳んだ状態から、前記中心パネル、前記第１パネルおよび前記第２パネルの各々が折り目の無い形態を呈するように開いて、着用者の鼻および口を覆うカップ形状の空気室を形成できること、
を特徴とする呼吸器保護装置。
【請求項３】
前記第１および第２境界線が、前記呼吸器保護装置を着用者の顔に保持するためのヘッドバンドを取り付ける第１および第２の手段に向かって集束する、請求項２に記載の呼吸器保護装置。
【請求項４】
前記第１および第２パネルが、前記多層構造の複数の周縁に沿って複数の接着部を有し、それら接着部が、前記第１被覆ウェブ、前記濾過層および前記第２被覆ウェブを該周縁にて互いに接合する、請求項２に記載の呼吸器保護装置。
【請求項５】
ａ）略楕円形状を有する平坦な中心パネルと、
ｂ）前記中心パネルのエッジと実質的同一位置にある折り線、シーム、溶接部または接着部を介して、エッジにて該中心パネルに接合される平坦な第１パネルと、
ｃ）前記中心パネルのエッジと実質的同一位置にある折り線、シーム、溶接部または接着部を介して、エッジにて該中心パネルに接合される平坦な第２パネルとを具備し、
前記中心パネル、前記第１パネルおよび前記第２パネルの少なくとも１つがフィルター媒体から形成される、個人用の呼吸器保護装置において、
前記第１および第２パネルを前記中心パネルの共通の表面に少なくとも部分的に対面接触させて平坦に折り畳んで保管できるとともに、使用時には、顔面接触縁部を有して着用者の鼻および口を覆うカップ形状の空気室を形成できること、
を特徴とする呼吸器保護装置。
【請求項６】
平坦に折り畳んだ個人用の呼吸器保護装置の作製方法であって、
ａ）少なくとも１つがフィルター媒体層を含んでなる第１、第２および第３シート構造を用意し、
ｂ）折り線、シーム、溶接部または接着部によって前記第１シート構造を前記第３シート構造に接合するとともに、折り線、シーム、溶接部または接着部によって前記第２シート構造を前記第３シート構造に接合して、呼吸器保護装置を平坦に折り畳んだときに、該第１および第２シート構造が、前記第３シート構造の共通の表面に少なくとも部分的に対面接触するように構成し、
呼吸器保護装置が、平坦に折り畳んだときには、少なくとも１つの前記折り線、前記シーム、前記溶接部または前記接着部が曲線状に延び、折り畳んだ状態から開いて使用するときには、着用者の鼻および口を覆うカップ形状の空気室を形成できるように構成されること、
を特徴とする作製方法。
【発明の詳細な説明】
発明の分野
本発明は、保管時に平坦に折り畳むことができ、かつ、使用時に着用者の口および鼻を覆うカップ型空気室を形成することができる呼吸用保護具またはフェースマスクに関する。
発明の背景
濾過呼吸用保護具または濾過フェースマスクは、ヒトの呼吸系を空中に浮遊する粒子または望ましくないガスもしくは有害ガスから保護することが所望される場合に、多種多様な用途に用いられる。一般にこうした呼吸用保護具またはフェースマスクは、２つのタイプすなわち成形カップ型形態またはフラットフォールド形態のうちの一方である。フラットフォールド形態は、必要になるまでは着用者のポケットに入れて持ち運び、着用するまでの間は再度平坦に折り畳んで内部を清潔に維持することができる点で利益がある。
フェースマスクのフラットフォールド形態は、長方形の形態を有し、着用者の口にほぼ平行に延在するプリーツを有する布として構成されてきた。こうした構成は、フェースマスクが着用者の顔に接触しないようフェースマスクを維持するための補剛要素を有しても良い。また、補剛は、フェースマスクの幅にわたるプリーツを積層構造に融着することによって、または、フェースマスクの幅にわたってシムを提供することによって提供されてきた。
水平方向に中央で折り畳んで上下の対向面を形成するプリーティング呼吸用保護具も開示されている。呼吸用保護具は、フィルター媒体を垂直寸法に収縮する対向面に対して本質的に中心の少なくとも１つの水平プリーツと、これらの対向面の各々の少なくとも１つの別のプリーツを有する。中心プリーツは、対向面のプリーツに対して水平寸法に短く、対向面のプリーツは、フィルター媒体の最大水平寸法に対して水平寸法に短い。対向面のプリーツとともに中心プリーツは、自助ポケットを形成する。ポケットの広い端に開放エッジを有し、ポケットの狭い端に閉鎖エッジを有するほぼテーパー形状を有する可撓性濾過シート材料から成るポケットから形成される呼吸用保護具も開示されている。
ポケット閉鎖端は、折り畳まれてポケットの内側方向に延在する三角面であって、互いに対向し、使用時に互いに相対的に傾斜する三角面を含む一般に四辺形面を画定する折り畳み線で形成される。
開示されているより複雑な構成には、対向する側壁であって、広い端に開放端および狭い端に閉鎖端を有するほぼテーパー形状である側壁を有するフィルターシート材料のポケットから形成されるカップ型濾過面体を含む。閉鎖端のポケットの縁は、外側方向に湾曲し、交差する直線および／または曲線によって定義され、閉鎖端は、ポケットの閉鎖端の内側方向に折り畳まれても吸気時に着用者の顔面に対して陥没しないようにポケットを剛化するために内側方向に延びる円錐状のくぼみを定義する表面を画定する折り畳み線を提供する。
上部と下部と、その間にほぼ中心的な部分を有するフェースマスクも開示されている。本体部分の中心部分は、本体を実質的に二分する垂直な折り目または折り畳み線の周囲で後方に折り畳まれる。この折り畳み線または折り目線は、マスクを着用した場合に、額の中心、鼻、および口の中心を通過する想像垂直線上に多少なりとも配置される。本体部分の上部は、中心部の上側エッジが鼻橋および顔の頬骨に接触するように、中心部の上側エッジからある角度で上側に延在する。本体部分の下部は、下方かつ、中心部の下部エッジから喉の方向に着用者の顎の下方を保護するように延在する。マスクは、着用者の鼻および口を覆うが、直接鼻や口に接触しない。
発明の大要
本発明は、パーソナル呼吸用保護装置であって、
第１および第２のエッジを有する平坦中心部、
第１の平部材であって、折り畳み線、シーム、溶接部または接着部であって、前記中心部の前記第１のエッジと実質的に同一の拡がりを有する第１の平部材の折り畳み線、接着部、溶接部またはシームを介して前記中心部の前記第１のエッジに接合される第１の平部材、
第２の平部材であって、折り畳み線、シーム、溶接部または接着部であって、前記中心部の前記第２のエッジと実質的に同一の拡がりを有する第２の平部材の折り畳み線、接着部、溶接部またはシームを介して、前記中心部の前記第２のエッジに接合される第２の平部材を含み、
前記中心部ならびに前記第１および第２の部材の少なくとも１つの部材が、フィルター媒体から形成され、
前記装置を平坦に折り畳んで、前記第１および第２の部材を前記中心部の共通面と少なくとも部分的に対面接触させて保管することができ、かつ、使用時に、着用者の鼻および口を覆うカップ形状の空気室を前記中心部ならびに前記第１および第２の部材の未接合エッジであって、着用者の鼻、頬、および顎に接触して固定できるようにした前記未接合エッジと、平坦に折り畳まれる状態で前記装置の周長より小さい着用者の鼻、頬および顎に接触できるようにした前記未接合エッジの外側境界とによって形成することができる前記装置を提供する。
フラットフォールド呼吸用装置の構成は、矩形乃至実質的に楕円であっても良い。呼吸用装置は、使用時に広げた場合に、実質的にカップ形状である。前記第１の部材、中心部および第２の部材の少なくとも１つの部材を含むフィルター媒体は、微細繊維から形成されるような布など、不織布であっても、複数の層であって、各層が同様のまたは異なる濾過特性を有する層を含んでいても良い。フィルター媒体は、当然、第１の部材、中心部、第２の部材や、別の部分のいずれか２つまたはすべてを含むこともできる。
本発明の呼吸用装置は、ヘッドバンド、または、呼吸用保護装置を着用者の顔上の適所に保持する接着剤などのその他の手段、ノーズクリップ、または、呼吸用装置を着用者の鼻と十分に接触させることができるその他の手段、呼気弁、例えば、フェースシール、保護めがね、ネックカバーなどの呼吸用保護具とフェースマスクに共通するその他の装備をさらに含むこともできる。呼吸用装置を、ノーズクリップを用いて構成した場合、ノーズクリップは、呼吸用装置の第１の部材の外側部上に存在してもよく、フォーム片などの緩衝部材が第１の部材の内側表面上のクリップの真下に配置されても良いし、ノーズクリップが第１の部材の内側表面上に存在しても良いし、緩衝部材がノーズクリップを被覆して配置されても良いし、呼吸用装置が複数の装置を含む場合には、ノーズクリップが層の間に配置されても良い。
本発明の呼吸用装置には、例えば、呼吸用保護具、外科用マスク、クリーンルームマスク、フェースシールド、ダストマスク、ブレスウォーミングマスクやその他の各種フェースカバーが挙げられる。本発明の呼吸用装置は、着用者の顔が最低の接触領域を有する鋭角で呼吸用保護具の周囲に接触することによって着用者の不快さを助長し呼吸用保護具の周長でのシール係合を最低限することが考えられるある種のその他のカップ形状呼吸用保護具またはフェースマスクよりも着用者の顔に良好にシール係合するよう設計されている。
さらに、着用者の呼吸を保護するためのパーソナル呼吸用保護装置を製造する工程であって、
ａ）中心部であって、少なくとも第１のエッジおよび第２のエッジを有する中心部を形成し、
ｂ）第１の平部材を前記中心部の前記第１のエッジで、折り目、接着部、溶接部またはシームであって、前記中心部の前記第１のエッジと実質的に同一の拡がりを有する前記第１の部材の折り目、接着部、溶接部またはシームエッジと一緒に前記中心部に取付て、
ｃ）第２の平部材を前記中心部の前記第２のエッジで、折り目、接着部、溶接部またはシームであって、前記中心部の前記第１のエッジと実質的に同一の拡がりを有する前記第２の部材の折り目、接着部、溶接部またはシームエッジと一緒に前記中心部に取付るが、
ただし、前記中心部、前記第１および第２の部材の少なくとも１つが、フィルター媒体を含み、前記装置が、保管のために平坦に折り畳むことができ、かつ、使用時は、着用者の鼻および口を覆うカップ形状の空気室を着用者の鼻、頬、および顎に接触して固定できるようにした前記中心部ならびに前記第１および第２の部材の未接合エッジと、平坦に折り畳まれる状態で前記装置の周長より小さい着用者の鼻、頬および顎に接触できるようにした前記未接合エッジの外側境界とによって形成することができることを条件とする、工程も提供する。
また、濾過媒体の矩形シートを形成する工程、前記シートの中心方向に第１の長いエッジを折り畳んで第１の部材を形成する工程、前記シートの中心方向に第２の長いエッジを折り畳んで第２の部材を形成する工程および折り畳まれないエッジをシールする工程を含む、パーソナル呼吸用保護装置を製造する工程も提供し、この工程は任意に別の折り目または接着部を介して折り畳まれないエッジで第１および第２の部材に取り付けられる別の部分を含んでも良い。
さらに、２つのエッジを有するフィルター媒体の第１の楕円シートを形成する工程、２つのエッジを有するフィルター媒体の第２の楕円シートであって、各シートの少なくとも１面が共通の形状を有するシートを形成する工程、前記第２のシートの前記接着されないエッジを前記接着されるエッジ方向に折り畳む工程、２つのエッジであって、少なくとも１つのエッジが前記第１のシートの前記接着されないエッジと共通の形状を有するエッジを形成する工程、前記第３のシートを前記第２のシート上に配置する工程ならびに前記第および第３のシートの前記共通の形状のシートを接着する工程、を含む、パーソナル呼吸用保護装置を製造する工程も提供する。
各工程は、高速製造方法に適用しやすく、ヘッドバンド、ノーズクリップ、およびその他の一般的な呼吸用装置構成要素を取り付けるのに必要な付加的な工程を含んでも良い。
【図面の簡単な説明】
図１は、フラットフォールド構成の本発明のパーソナル呼吸用保護装置を示す正面図である。
図２は、図１に示す呼吸用保護装置をライン２−２で切り取った断面図である。
図３は、開放してすぐ使用できる構成で示される図１のパーソナル呼吸用保護装置を示す正面図である。
図４は、開放してすぐに使用できる構成に示される図１のパーソナル呼吸用保護装置の側面図である。
図５は、フラットフォールド構成の本発明のパーソナル呼吸用保護装置の別の実施例を示す断面図である。
図６は、部分的に開放して示される図５のパーソナル呼吸用保護装置の斜視図である。
図７は、フラットフォールド構成の本発明のパーソナル呼吸用保護装置の別の実施例を示す斜視図である。
図８は、開放してすぐに使用できる状態に示される図７のパーソナル呼吸用保護装置の正面図である。
図９は、本発明のパーソナル呼吸用保護装置の他の実施例を示す正面図である。
図１０は、本発明のパーソナル呼吸用保護装置の他の実施例を示す正面図である。
図１１は、本発明のパーソナル呼吸用保護装置の他の実施例を示す正面図である。
図１２は、本発明のパーソナル呼吸用保護装置の他の実施例を示す正面図である。
図１３ａ−１３ｐは、本発明の各種の付加的な代替え実施例を示す正面図である。
図１４は、本発明のパーソナル呼吸用保護装置の他の実施例を示す正面図である。
図１５は、本発明のパーソナル呼吸用保護装置の他の実施例を示す背面図である。
図１６は、本発明のパーソナル呼吸用保護装置の他の実施例を示す正面図である。
図１７は、フラットフォールド呼吸用保護装置を製造するための例示的な製造工程を示す概略図である。
図１８−２０は、図１４に示す例示的な製造工程の中間ウェブ構成を示す図である。
図２１は、図１７−２０の工程に従って構成されるフェースマスクのストリップを示す図である。
発明の詳細な説明
図１に示す本発明の１実施例すなわちパーソナル呼吸用保護装置１０の正面図では、装置は、使用前のパッケージまたは着用者のポケットに保管するための折り畳み形態である場合には、ほぼ矩形の形状を有する。図２に示すパーソナル呼吸用保護装置１０の側面は、中心部１２，第１の部材１４，および第２の部材１６を有する装置を示す。中心部ならびに第１および第２の部材は、例えば、折り目１５および１７によって図２に示すように接合されていても良いし、第１および第２の部材は、中心部に接着またはシームされていても良い。構成は、図示のように折り目１５から折り目１７まで延在するエッジシール１１および１１’によって適所に保持されるが、折り目１５から折り目１７まで部分的に延在しても良い。エッジシール１１および１１’は、図示のように実質的に直線状であっても良いし、曲線状であっても良い。図１および図３は、例えば、ヘッドバンドなどの着用者の顔上で適所に装置を維持するために取り付けるための取付手段１８、１８’も示す。例えば、フィルター媒体層、任意の被覆層や任意の補剛層などを有し、装置が多層構成である場合には、第１および第２の部材１４、１６の外方のエッジも接着される。
パーソナル呼吸用保護装置１０は、図３および図４に示すが、図１および図２と共通の部分が確認でき、着用者に成形カップ形状呼吸用装置の「顔から離れた」利益を提供する開放されたすぐに着用できる構成になっている。本発明の呼吸用装置のカップ形状の「顔から離れた」設計は、着用者の顔に対して呼吸用装置をシールするための第１および第２の部材のエッジ２４および２６によって各々形成される外縁領域すなわち顔面接触縁部を提供する。図３は、任意のノーズクリップ２８を有するパーソナル呼吸用保護装置１０を示す図である。着用者により大きい程度の顎の運動をさせるには、一般に幅方向の折り目すなわちプリーツを呼吸用保護装置の第１の部材１４または第２の部材１６に、折り目または接着部１５の真上または折り目または接着部１７の真下に形成することができる。
図５および図６に示す別の実施例では、図１−図４に共通の部分が確認できるが、別の部材２０および２２が呼吸用装置１０’の第１および第２の部材に、接着またはシームすることによって（図示せず）折り目２１および２３によって取り付けられている。別の部材２０および２２は、中心部ならびにエッジシール１１の第１および第２の部材１４および１６でシールすることができるが、好ましくは、図５および図６に示す様なエッジシールではシールせずに、別の部分２０および２２の能力によって呼吸用保護装置１０’の外縁でシール力を強化し、取付点２５および２５’で枢支運動させる。図６は、別の部材２０上に配置される任意のノーズクリップ２８を有する呼吸用装置１０’を示す図である。この実施例では、複数層を使用して呼吸用装置を形成し、別の部材２０および２２の外縁も接着することが好ましい。
エッジシール１１と１１’またはエッジシール１１と１１’と同じ位置に配置される接着部の間に延在するパーソナル呼吸用保護装置１２の幅は、好ましくは約１６０乃至２２０ｍｍの幅であり、より好ましくは１７５乃至２０５ｍｍの幅であり、最も好ましくは１８５乃至１９０ｍｍの幅である。折り目１５と１７の間に延在する呼吸用装置の１０の中心部の高さは、好ましくは、約３０乃至１１０ｍｍの高さであり、より好ましくは、５０乃至１００ｍｍの高さであり、最も好ましくは７５乃至８０ｍｍの高さである。呼吸用装置１０の第１の部材１４と第２の部材１６の幅は、好ましくは中心部１２の幅とほぼ同じである。折り目１５から呼吸用装置１０の第１の部材１４の外縁または呼吸用保護装置１０’の折り目２１に延在する第１の部材の深さは、好ましくは約３０乃至１１０ｍｍであり、より好ましくは、約５０乃至７０ｍｍであり、最も好ましくは約５５乃至６５ｍｍである。折り目１７から呼吸用装置１０の第２の部材１６の外縁または呼吸用装置１０’の折り目２３に延在する第２の部材１６の深さは、好ましくは約３０乃至１１０ｍｍ、より好ましくは、約５５乃至７５ｍｍ、最も好ましくは、約６０乃至７０ｍｍである。第１の部材１４と第２の部材１６の深さは、同じであっても異なっていても良く、第１および第２の部材の深さの合計は、好ましくは、中心部の高さを超過しない。呼吸用装置１０’の別の部材２０および２２は、好ましくは第１および第２の部材の幅とほぼ等しい。呼吸用装置１０’の別の部材２０は、好ましくは約１乃至９５ｍｍであり、より好ましくは約５乃至４０ｍｍであり、最も好ましくは約５乃至３０ｍｍを有する。呼吸用保護装置１０’の別の部材２２は、好ましくは約１乃至９５ｍｍであり、より好ましくは約３乃至７５ｍで有り、最も好ましくは約３乃至３５ｍｍの深さを有する。端部エッジシールは、中心部１２の外側エッジから好ましくは約１乃至２５ｍｍであり、より好ましくは約５乃至１０ｍｍ離隔し、第１の部材および第２の部材１６は、好ましくは１乃至１０ｍｍ、より好ましくは２乃至５ｍｍの幅を有する。別の部分２０および２２が呼吸用保護装置１０’に存在する場合、こうした部分は、好ましくはないが、エッジシール１１，１１’を含んでいても良い。１０や１０’などの呼吸用装置では、着用者の鼻、頬、顎に、図３、４および６に示すような開放構成で接触する非接合エッジからなる外縁領域は、平坦に折り畳まれた保管状態の装置の外周長さ（本明細書で「周長」と称する）、すなわち中心部１２の周長よりも短い。
楕円形状である別の実施例を図７、８、９、１０、１１、および１２に示す。図７では、折り畳まれた構成すなわち保管構成の正面図に示される呼吸用装置５０は、中心部５２と接着部５５および５７を含む。例えば、ヘッドバンド５９などを取り付けて呼吸用装置を着用者の顔に保持するための取付手段５８、５８’も示す。図８では、呼吸用装置は、接着部５５の中心部５２に接着される第１の部材５４および接着部５７の中心部５２に接着される第２の部材を有する折り畳まれないすぐに使用できる構成で正面図で示されている。呼吸用装置が、材料の複数の層から形成される場合、第１の部材５４および第２の部材５６を接着することが好ましい。図８は、さらに、第１の部材５４上のノーズクリップおよび中心部６２上の突起を示し、第１の部材５４上の突起に比較的に一致する。ノーズクリップ６０は、装着を改善し、突起６２は、第１の部材５４上の同種の突起と協働して、快適さおよび装着を改善する。ある例では、装着における改善は、第１の部材５４の外縁を内側方向すなわち着用者の顔方向に折り曲げることによって達成できる。ノーズクリップが存在する場合には、折り目の内側に位置づけることができる。着用者により程度が大きい顎の運動をさせるには、一般には、幅方向の折り目すなわちプリーツを、呼吸用装置の第１の部材５４または第２の部材５６の、折り目または接着部５７の真下に形成することができる。こうした呼吸用装置５０および５０’では、着用者の鼻、頬および顎に図８および図９で示す開放構成で接触する非接合エッジからなる外縁領域は、平坦に折り畳まれた保管状態の装置の外周長さ（本明細書で「周長」と称する）、すなわち中心部１２の周長よりも小さい。
図１０、１１および１２では、呼吸用装置５０は、着用者の顔上に示され、図１０に示されるノーズクリップ６０を有するカップ形状構成、図１１に示すノーズクリップ６０および呼気弁６４、ならびに、図１２に示すノーズクリップ６０’および呼気弁６０を有する。こうしたノーズクリップおよび呼気弁は、図１−６に示す呼吸用装置上でも等しく有用である。
図７、８、９、１０、１１および１２では、中心部５２の最も幅広い部分は、好ましくは約１６０乃至２２０ｍｍであり、より好ましくは、約１７５乃至２０５ｍｍであり、最も好ましくは約１９３乃至１９７ｍｍである。中心部の最も高い部分、すなわち、幅に垂直な部分の高さは、好ましくは約３０乃至１１０ｍｍであり、より好ましくは、約５０乃至１００ｍｍであり、最も好ましくは約７０乃至８０ｍｍである。好ましくは、第１および第２の部材は、中心部分の幅と実質的に同じ幅である。第１の部材の最も深い部分の深さは、好ましくは約３０乃至１００ｍｍであり、より好ましくは、約４０乃至９０ｍｍであり、最も好ましくは約５０乃至６０ｍｍである。第２の部材の最も深い部分の深さは、好ましくは約３０乃至１１０ｍｍであり、より好ましくは、約５０乃至１００ｍｍであり、最も好ましくは約６０乃至７０ｍｍである。第１および第２の部材の深さは同じであっても異なっても良い。第２の部材の深さが、第１の部材の深さよりも大きい場合、別の保護を顎先の部分に提供することができる。第１および第２の部材と中心部の深さを調節することによって、顎先の下の第２の部材の嵌合を装着したり、鼻を覆う第１の部分の嵌合を装着し、第１の部分が鼻の長さに沿って位置したり、鼻橋上の大部分を占めるように、調節することができる。
図９に示すパーソナル呼吸用保護装置では、呼吸用装置５０’は、中心部５２’、第１の部材５４’、および第２の部材５６’が着用者の顔に垂直に位置して、中心部５２’の端部６１および６３が着用者の鼻および顎先に位置するように構成されている。第１の部材５４’は、接着部５５’で中心部５２’に接着され、第２の部材５６’は、接着部５７’で中心部５２に接着される。取付手段５８’、５８’’は、例えば、ヘッドバンド５９を取り付けて着用者の顔の適所に呼吸用装置を保持するために提供される。当然、図１−６に示す呼吸用装置は、取付手段１８、１８’を変更することによって同様に変更することができる。中心部、第１の部材および第２の部材が着用者の顔に垂直に並列されるこうした構成では、取付手段間の距離は、好ましくは約１６０乃至２２０ｍｍであり、実質的に楕円形状の場合には、より好ましくは、約１７０乃至１９０ｍｍであり、実質的に矩形の場合には約１７５乃至１９５ｍｍである。
フラットフォールドパーソナル呼吸用保護装置の形状は、図７−１２に関しては、楕円状であると述べたが、著しく異なっていても良い。一般には、正規の楕円形ではなく、例えば、偏菱形などに近い形状でさえあり得る。折り畳み装置のさまざまな考えられる形状は、図１３（ａ）乃至図１３（ｐ）に示されている。このため、中心部は、四分割で見れば、直角交差パターン、直線パターンまたは曲線や直線の組み合わせパターンで延びる接着エッジ構成を有することができる。好ましくは、こうした接着エッジは、図７に示す穏やかな曲線などの構成を有し、より好ましくは、曲線は好ましくは約１２０乃至１７０ｍｍ、より好ましくは、約１４０乃至１５０ｍｍの半径を有する。同様に、第１および第２の部材の形状と付加的な部分の形状はかなり異なっていても良い。第１および第２の部材の各々は、前述の中心部に接合することができるように造形することができる。第１および第２の部材の取り付けしていないエッジ部の形状も、着用者の顔に十分嵌合できることが所望されるように直線状から曲線状まで異なっていて良い。別の部材が存在する場合には、適宜、第１および第２のエッジ部に接合するために適切なエッジ部を有する必要がある。未接合のエッジ部は、直線から曲線まで様々である。接合部の形状を変更することによって、顔に対する呼吸用装置の嵌合は、選択させた設計によって改善することができる。中心部と第１および第２の部材とを接続する接着部、ならびに別の部材と第１および第２の部材とを接続する接着部は、好ましくは、中心部および第１の部材のエッジまたは第１の部材および第２の部材のエッジから約１５ｍｍ以下の深さであり、より好ましくは約１０ｍｍ以下の深さであり、最も好ましくは約５ｍｍの深さであり、連続していても不連続でも良い。
中心部、第１または第２の部材の少なくとも１つを含まなければならない本発明に有用なフィルター媒体または材料は、複数の織材料および不織材料から成り、単数または複数の層であり、内側または外側のスクリムを有しても有さなくても良く、補剛手段を有しても有さなくても良い。好ましくは、中心部には、例えば、織スクリムまたは不織スクリム、接着バー、プリント結合剤などを提供する。適切なフィルタ材料の例には、微細繊維ウェブ、解繊フィルムウェブ、織りウェブまたは不織りウェブ（通気またはカードステープルファイバー）、あるいはそれらの組み合わせが挙げられる。こうしたウェブを形成するために有用な繊維には、例えば、ポリプロピレン、ポリエチレン、ポリブチレン、ポリ（４−メチル−１−ペンタン）およびそれらのブレンドなどのポリオレフィン、クロロエチレン単位またはテトラフルオロエチレン単位の１つ以上を含有するものなどのハロゲン置換ポリオレフィン、ならびに、アクリロニトリル単位、ポリエステル、ポリカーボネート、ポリウレタン、ロジンウール、ガラス、セルロースまたはそれらの組み合わせを含んでも良い。濾過層の繊維は、濾過すべき粒子のタイプによって異なる選択が成される。繊維の適切な選択は、着用者に対して、例えば、軟度や湿度を制限するなどして快適さにも影響し得る。本発明に有用なメルトブロー微細繊維を含むウェブは、例えば、Wente, Van., A“Superfine Thermoplastic Fibers”, Industrial Engineering Chemistry, Vol.48, 1342 et seq.（1956）や、Report No.4364 of the Navel Research Laboratoriesの1954年5月25日発行の“Manufacture of Super Fine Organic Fibers”, Van A. Wente et al.などに記載されているように製造することができる。本発明に有用なフィルター媒体のメルトブロー微細繊維は、Davies, C.N.,“Thesepation of Airborne Dust Particles”, Institution of Mechanical Engineers, London, Proceedigs 18, 1952に記載されている方法に従って算出されるように、好ましくは、約３乃至３０μｍ、より好ましくは約７乃至１５μｍの効果的な繊維半径を有する。
ステープル繊維は、濾過層に任意に含めることもできる。ばらのクリンプステープル繊維が存在すると、吹込繊維のみで構成されるウェブよりも高品位で高密度のウェブを提供することができる。好ましくは、９０重量パーセント以下のステープル繊維、より好ましくは７０重量パーセント以下のステープル繊維を媒体中に含める。こうしたステープル繊維含有ウェブは、米国特許第４，１１８，５３１号（Ｈａｕｓｅｒ）に開示されており、本文の参照に取り入れた。
二成分ステープル繊維もフィルター層またはフィルター媒体の１つ以上の他の層に使用することができる。コア部よりも低い融点を有する外側層を一般に有する二成分ステープル繊維を使用して、二成分繊維の外側層が二成分ステープル繊維またはその他のステープル繊維である隣接繊維に接触して流れるように、層を加熱するなどして繊維交差点で互いに接着される弾性造形層を形成することができる。造形層も、ステープル繊維と一緒に含まれる熱流動性ポリエステルを含むバインダー繊維を提供し、造形層の加熱時には、バインダー繊維が融解し、交差点に流れ込み、繊維交差点を包囲する。冷却時には、接着部は繊維の交差点で発達し、繊維の塊を所望の形状に維持する。また、アクリルラテックスまたは粉末熱活性化樹脂などの結合剤材料をウェブに適用して繊維の定着剤を提供することができる。
本文に参照として取り込んだ米国特許第４，２１５，６８２（Ｋｕｂｉｋ  ｅｔ  ａｌ．）、米国特許第４，５８８，５３７号（Ｋｌａｓｓｅ  ｅｔ  ａｌ．）などに開示されている帯電繊維、あるいは米国特許第４，３７５，７１８（Ｗａｄｓｗｏｒｔｈ  ｅｔ  ａｌ）または米国特許第４，５９２，８１５号（Ｎａｋａｏ）は、本文に参照として取り入れたが、工程などによるエレクトレットを分極または帯電させる他の従来の方法による帯電繊維などは、本発明に特に有用である。米国特許第ＲＥ．３１，２８５号（Ｖａｎ  Ｔｕｒｎｈｏｕｔ）に記載されるような帯電解繊フィルム繊維も本文に参照として取り入れたが、これも有用である。一般に、帯電工程には、材料をコロナ放電またはパルス化された高電圧に暴露することが必要である。
活性炭またはアルミナなどの収着剤も濾過層に含むことができる。こうした粒子充填ウェブは、例えば、米国特許第３，９７１，３７３号（Ｂｒａｕｎ）、米国特許第４，１００，３２４号（Ａｎｄｅｒｓｏｎ）および米国特許第４，４２９，００１号（Ｋｏｌｐｉｎ  ｅｔ  ａｌ．）などに開示されているが、これらは本文に参照として取り入れた。粒子充填フィルター層から得られたマスクは、ガス材料から保護するためには特に有効である。
本発明の呼吸用装置の中心部、第１の部材および第２の部材の少なくとも１つは、フィルター媒体を含む必要がある。好ましくは中心部、第１の部材および第２の部材の少なくとも２つが、フィルター媒体を含み、中心部、第１の部材および第２の部材のすべてがフィルターを含んでいても良い。フィルター媒体から形成されない部分は、各種の材料から形成することができる。例えば、第１の部材は、防湿層を提供して着用者のめがねがくもらない材料から形成することができる。中心部は、着用者の口の動きが観察できるように透明な材料から形成することができる。中心部を第１および第２の部材に接着するには、超音波溶接手段、接着剤結合手段、ステープル手段、熱機械的手段、圧力手段、あるいはそのほかの適切な手段によって結合することができるが、断続的でも連続的でも良い。こうした手段のいずれかによって結合領域は幾分強化または硬質化される。こうした結合手段は、図１−６に示す呼吸用装置の端部を固定するためにも適切である。
本発明の呼吸用装置は、接着剤や、呼吸用装置の中心部、第１および第２の部材によって形成される装置本体または呼吸用装置の別の部分に固定される、ストラップまたはヘッドバンド等の、当業者に周知の手段によって、着用者の顔の適所に保持できることが好ましい。それらストラップやヘッドバンドは、図１および図２などに示される呼吸用装置と一体形成できるループなどの手段によって、呼吸用装置の外面または内面上の装置外の位置で形成されるが、それらを型押手段、ステープル手段、接着結合手段、超音波溶接手段、縫製手段あるいはその他の当業者に一般に知られる手段などの手段によって呼吸用装置の本体に接着しても良い。あるいは、ストラップまたはヘッドバンドを、ループ取付手段の固定について述べた手段と同様の手段を用いて直接呼吸用装置に取り付けることができる。好ましくは、ヘッドバンドは、着用者の顔に対して張るようにある程度調節できる。本発明に有用なストラップまたはヘツドバンドは、弾性ポリウレタン、ポリイソプレン、Ｓｈｅｌｌ  Ｃｈｅｍｉｃａｌ  Ｃｏ．  Ｌｔｄ．から市販のＫＲＡＴＯＮTMなどのブチルスチレンコポリマーから構成されるが、弾性ゴムまたはＤｕＰｏｎｔ  Ｃｏ．から市販のＬＹＣＲＡTMスパンデックスなどの被覆ストレッチヤーンから構成することができる。
本発明に有用なストラップまたはヘッドバンドは、延伸活性化弾性複合材料である。こうした材料の１つは、少なくとも１つの弾性コアと少なくとも１つの比較的弾性が小さいスキン層とを有する粘着性の無い多層弾性積層体である。スキン層は、弾性限界を超えて延伸されるとともにコアによって緩められ、微細凹凸構造のスキン層を形成する。微細凹凸構造とは、表面が、微細凹凸化する前の複合材料の不透明度をさらに増加させるような、肉眼で十分に観察できる凹凸（山および谷）または折り目であって、人の皮膚に平滑または軟質として知覚される程に十分に小さい凹凸または折り目を有することを意味する。凹凸の大きさは、微細凹凸化された織物のディテールを知るために必要である。こうした弾性複合材料は、１９９０年３月３０日に出願されて許可された米国特許出願第０７／５０３，７１６号に開示されており、本文に参照として取り入れた。
本発明に有用な非弾性バンドには、例えば、湿潤工程または乾燥工程によって形成される不織材料であり、レーヨン、ポリエステルまたは同様の繊維、ポリプロピレン、ポリエチレンまたはポリエステルを含む圧延スパンボンドウェブおよび強化紙を含む。バンドは、バンドが着用者の顔とシール係合してフェースマスクを維持する着用者の頭部を取り巻くように、結ぶか、留め金で止めるか、伸縮させることができる。
他の構成のバンドとして、着用者の頭部を覆う開ループまたは閉ループの構造や着用者の耳に掛け渡されるループなどが挙げられる。米国特許第５，２３７，９８６号（Ｓｅｐｐａｌａ  ｅｔ  ａｌ．）には、マスクを容易かつ迅速に装着することができ、使用しない期間は一時的に保管することができるヘッドバンド組体が開示されている。
本発明の呼吸用装置に有用なノーズクリップは、例えば、アルミニウムまたはプラスチックを被覆したワイヤなどの金属を含む可撓性の軟質ではない帯から形成することができ、着用者の顔に快適に装置を装着できる形状にすることができる。特に、クリップ部に沿って配置される屈曲部を有する着用者の鼻橋上に延在して図１２に示す鼻および頬の領域にマスクを滑り嵌めする補助をする翼部を提供するよう構成される非直線ノーズクリップが好ましい。ノーズクリップは、例えば感圧接着剤や液体ホットメルト接着剤などの接着剤によって呼吸用装置に固定することができる。あるいは、ノーズクリップは、呼吸用装置の本体に入れても良いし、装置本体と機械的または接着剤でそれに取り付けられる布またはフォームの間に維持しても良い。図６または図１２に示すような本発明の実施例では、ノーズクリップは、第１の部材の外部に配置され、フォーム片（図示せず）は、ノーズクリップと位置を合わせて呼吸用装置の第１の部材の内部に配置される。
呼吸用装置は、一般には、使用者が容易に空気を呼気できるようにするダイヤフラム弁である任意の呼気弁を含んでも良い。マスクを用いた呼気時に極めて低い圧力低下を有する呼気弁は、米国特許第５，３２５，８９２号（Ｊａｐｕｎｔｉｃｈ  ｅｔ  ａｌ．）に記載されており、本文に参照として取り入れた。その他の設計の多くの呼気弁は、当業者らに知られている。呼気弁は、好ましくは、中心部に、好ましくは、中心部の真ん中付近に、音波溶接、接着結合、機械的締付などによって固定することができる。
呼吸装置は、呼吸装置の上エッジまたは外部にフェースシールドを任意に取り付けることもできる。一般的なフェースシールドは、例えば、米国特許第２，７６２，３６８号（Ｂｌｏｏｍｆｉｅｌｄ）Ｌおよび米国特許第４，９４４，２９４号（Ｂｏｒｅｋ，  Ｊｒ．）などに開示されており、これらは本文に参照として取り入れた。米国特許第５，０２０，５３３号（Ｈｕｂｂａｒｄ  ｅｔ  ａｌ．）に開示され、図１４に示されるタイプのフェースシールドも有用であり、シールドの中心に近接する切り欠き７３を有し、呼吸用装置７１およびフェースシールド７２を、着用者の顔に、グレアを低減させるように装置７１の頂部に取り付けた薄暗い色のストリップ７４を用いて容易に適合させることができる。
さらに、装置と顔の間の空気漏れを最低限にするフェースシールを本発明の呼吸用装置に任意に使用することもできる。一般的なフェースシールは、米国特許第４，６００，００２号（Ｍａｒｙｙｎｅｋ  ｅｔ  ａｌ．）米国特許第４，６８８，５６６号（Ｂｏｙｃｅ）および米国特許第（４，８２７，９２４号）などに記載されており、呼吸用装置７５上に図１５に示すような軟質弾性材料７６を含む環が記載され、それぞれ参照として本文に取り入れた。カナダ国特許第１，２９６，４８７（Ｙａｒｄ）も同様に参照として取り入れた。
また、例えば、液体の跳ねかけから首の部分を保護するネックカバーも本発明の呼吸用装置に使用することができる。一般的なネックカバーは、例えば、米国特許第４，８２５，８７８号（Ｋｕｎｔｚ  ｅｔ  ａｌ．）米国特許第５，３２２，０６１号（Ｂｒｕｎｓｏｎ）、および米国意匠特許第３４７，０９０（Ｂｒｕｎｓｎ）などに開示されており、本文の参照として取り入れた。図１６は、呼吸用装置７７上の一般的なネックカバー７８を示す図である。
本発明の呼吸用装置は、ガンマ放射線、エチレン酸化物またはオートクレーブなどの標準的な方法で滅菌することができるが、こうした工程は装置に提供される電荷に影響を与える恐れがある。本発明のフラットフォールドパーソナル呼吸用保護装置は、周長を規定する少なくとも第１及び第２のエッジを含む複数のエッジを有する平坦な中心部を形成し、平坦な第１の部材を折り目、接着部またはシームを有する中心部の第１のエッジで中心部に取付けることによって製造することができる。第１の部材は、周長を規定する複数のエッジを有し、そのうちの折り目、接着部またはシームエッジが、中心部の第１のエッジと実質的に同一の拡がりを有する（すなわち実質的同一位置にある）。また、平坦な第２の部材は、折り目、接着部またはシームエッジにより、中心部の第２のエッジで中心部に取り付けられる。第２の部材は、周長を規定する複数のエッジを有し、そのうちの折り目、接着部またはシームエッジが、中心部の第２のエッジと実質的に同一の拡がりを有する（すなわち実質的同一位置にある）。中心部、第１の部材、および第２の部材の少なくとも１つは、フィルター媒体を含む。
図１−６に示すフラットフォールド呼吸用装置は、濾過媒体の矩形シートを形成し、第１の長手方向エッジをシートの中心に向けて折り畳んで第１の部材を形し、第２の長手方向エッジをシートの中心に向けて折り畳んで第２の部材を形成し、折り畳まれないエッジをシールすることによって製造することができる。この工程は、任意に、別の折り目または接着部を介して折り畳まれないエッジで第１および第２の部材に取り付けられる付加的な部材を含んでいても良い。
図７−１２に示す呼吸用保護装置は、２つのエッジを有するフィルター媒体の第１の楕円シートを形成し、２つのエッジを有するフィルター媒体の第２の楕円シートであって、各々の少なくとも１面に共通の形状を有する第２のシートを形成し、共通の形状のエッジを接着し、第２のシートの接着されていないエッジを接着されるエッジ方向に折り畳み、２つのエッジを有するフィルター媒体の第３の楕円シートであって、少なくとも１つのエッジが第１の接着されていないエッジと共通のエッジを有する第３のシートを形成し、第２のシート上に第３のシートを配置し、第１および第３のシートの共通の形状のエッジを接着することによって製造することができる。
各工程は、高速製造方法に適合することができ、ヘッドバンド、ノーズクリップ、およびその他の一般的な呼吸用装置構成要素を取り付けるために必要とされるような付加的な工程を含む。
図１７乃至２０は、図７乃至１２に示されるようなフラットフォールド呼吸用装置を製造するための好ましい高速生産工程１２０を随略的に示す図である。フォーム部１２２は、好ましくは、内側被覆ウェブ１２４とフィルター媒体１２６の間に配置される。代替え的な実施例では、任意のフォーム部１２２および／またはノーズクリップ３０は、内側被覆ウェブまたは外側被覆ウェブ１３２の外面に配置することができる。強化材料１２８は、フィルター媒体１２６上の中心に近接する位置に任意に配置される。ノーズクリップ１３０は、ノーズクリップ装着ステーション１３０ａで強化材料１２８に近接するフィルター媒体１２６の１つのエッジに沿って任意に配置される。フィルター媒体１２６、任意の強化材料１２８および任意のノーズクリップ１３０は、外側被覆ウェブ１３２によって被覆され、図１８に示されるウェブ組体１３４を形成する。ウェブ組体１３４は、表面張力、静電気力、熱接着手段、接着剤またはその他の適切な周知の手段によって一緒に保持することができる。
呼気弁１３６は、バルブ付けステーション１３６ａでウェブ組体１３４に任意に挿入される。バルブ付けステーション１３６は、好ましくはウェブ組体１３４の中心に近接する孔を形成する。孔のエッジをシールすれば、余分なウェブ材料を最低限に抑えることができる。弁１３６は、溶接、接着、圧力嵌め、圧締め、スナップ組体またはある種のその他の適切な手段によって孔に維持することができる。呼気弁を有する例示的な呼吸用装置を図１１および１２に示す。
図１９に示すように、ウェブアセンブリ１３４をフェース装着部で顔面装着溶接線およびエッジ仕上げ線に沿って溶接しトリムすることができる。余分なウェブ材料１４０は、除去されて、トリムされるウェブ組体１４２は折り畳みステーション１４４に送られる。折り畳みステーション１４４は、第１および第２の部材１４６および１４８をトリムされるウェブ組体１４２の中心方向内側に、折り畳み線１５０、１５２に沿ってそれぞれ折り畳み、図２０に示される折り畳まれる装置ブランク１５５を形成する。
折り畳まれる装置ブランク１５５は、エッジ１５８、１６０に沿って仕上げおよびヘッドバンド取付ステーション１５４ａで溶接され、呼吸用装置１５６のストリップを形成し、接着線からはみ出る余分な材料をそれから除去する。溶接線１６０は、顔面装着溶接およびエッジ仕上げ線１３３に隣接する。顔面装着溶接およびエッジ仕上げライン１３５は、第１の部材１４６の下に位置する破線で示してある。ヘッドバンド１６１を形成するヘッドバンド材料１５４は、左右のヘッドバンド取付位置１６２、１６４の間に延在するヘッドバンド経路「Ｈ」に沿って延在する折り畳み装置ブランクに配置される。ヘッドバンド１６１は、好ましくは左右のヘッドバンド取付位置１６２、１６４で装置ブランク１５５に取り付けられる。
ヘッドバンドが１９９０年３月３０日に出願され、許可された米国特許出願第０７／５０３，７１６号に開示される好ましい材料から成る場合、呼吸用装置ブランク１５５に装着前、装着中または装着後にヘッドバンド材料１５４を活性化または部分的に活性化できることは理解されよう。ある好ましい方法では、調節クランプ間でまだ活性化されていないヘッドバンド材料を選択的に締め付けて、所望の大きさにヘッドバンドを延ばして、活性化ヘッドバンド材料１５４を装置ブランク１５５上に配置し、ヘッドバンド材料１５４の不活性の端部に装置ブランク１５５を取り付けることによって、取り付ける直前にヘッドバンドを活性化する。あるいは、活性化されていないヘッドバンド材料１５４を装置ブランク１５５上に配置し、本文で説明したように端部で取付けてから包装する前に活性化することができる。最後に、ヘッドバンド材料１５４は、使用者によって活性化されるまでは活性化されずに維持することができる。
長手方向の切り込み線「Ｓ」は、ヘッドバンド材料１５４を装置ブランク１５５に仕上げおよびヘッドバンド取付ステーション１５４ａで取り付ける前、取付中または取付後に形成し、複数部分のヘッドバンドを製造することができる。左右のヘッドバンド取付位置１６２，１６４に隣接する装置ブランク１５５のエッジ１６６、１６８は、個別の呼吸用装置を形成するのに役立てたり、呼吸用装置１６７のストリップを形成するために孔をあけたりすることができる（図２１参照）。仕上げられる呼吸用装置１６７は、包装ステーション１６９で包装される。
図２１は、図１７乃至図２０の工程に従って製造されるフラットフォールド呼吸用装置１６７のストリップを示す図である。エッジ１６６、１６８は、呼吸用装置１６７がロール状に包装できるように孔あけされる。エッジ１６６、１６８のヘッドバンドの一部は、孔あけ工程によって除去されている。別の実施例では、ヘッドバンド１６１は、エッジ１６６、１６８を継続的に通過して延在する。図２０は、呼吸用装置１６７の背部に取り付けられる複数部分に分かれたヘッドバンド１６１を示すが、本文に開示されるいずれかの構成で取り付けることができる。一個のヘッドバンドまたは複数の部分に分けられるヘッドバンド１６１は、呼吸用装置１６７のどちらかの面に、剥離構成または剪断構成で取り付けることができるが、剪断構成が好ましい。
その他のタイプのヘッドバンド材料を使用する場合には、ヘッドバンド材料を最終仕上げされるフラットフォールド呼吸用装置に使用される長さを採用し、左右のヘツドバンド取付位置１６２、１６４で取り付ける。
以下の例は、本発明をさらに具体的に示すものであるが、以下の例の特定の材料、形状およびそのサイズは、そのほかの条件および詳細は、本発明を不当に制限するものとして解釈してはならない。
例
以下、本発明のパーソナル呼吸用保護装置を、以下に記載する制限的な例によってさらに説明する。
例１
帯電メルトブローポリプロピレン微細繊維を含む２枚のシート（３５０ｍｍ×３００ｍｍ）の一方を他方に重ねて、１００ｇ／ｍ2の基本重量、７乃至８ミクロンの効果的な繊維直径および約１ｍｍの厚さを有する層化ウェブを形成した。軽量スパンボンドポリプロピレンウェブ（３５０ｍｍ×３００ｍｍ、５０ｇ／ｍ2、タイプ１０５ＯＢ１ＵＯ０、Ｄｏｎ  ａｎｄ  Ｌｏｗ  Ｎｏｎｗｏｖｅｎｓ，  Ｆｏｒｒａｒ，  Ｓｃｏｔｌａｎｄ、Ｕｎｉｔｅｄ  Ｋｉｎｇｄｏｍから市販）を微細繊維層化ウェブの１面に接触させて配置した。ポリプロピレン支持メッシュ（３８０ｍｍ×７８ｍｍ、１４５ｇ／ｍ2、タイプ５１７３、Ｉｎｅｒｍａｓ，  Ｂａｒｃｅｌｏｎａ，  Ｓｐａｉｎから市販）のストリップを、層化微細繊維ウェブの一方の長いエッジから約１０８ｍｍ離隔し層化微細繊維ウェブの他方の長いエッジから１１４ｍｍ離隔し、微細繊維表面のエッジに上に延在する残りの微細繊維面上に幅方向に配置した。内側被覆シート（３５０ｍｍ×３００ｍｍ、２３ｇ／ｍ2、ＬＵＲＴＡＳＩＬTM６１２３、Ｓｐｕｎ  Ｗｅｂ，  ＵＫ，  Ｄｅｒｂｙ，  Ｅｎｇｌａｎｄ，  Ｕｎｉｔｅｄ  Ｋｉｎｇｄｏｍ）を支持メッシュおよび残りの露出した微細繊維ウェブの上に配置した。次に、５層構造を層化構造をほぼ矩形形状に超音波で接着し、上部エッジ、底部エッジおよび２つの側方エッジを形成する周長で一緒に層化される構造を維持する接着部を提供した。層を支持メッシュの長いエッジに沿って一緒に接着もした。このようにして接着された構造の長さは、上部エッジおよび底部エッジに平行に測定したところ、１８８ｍｍであり、幅は、側方エッジに平行に測定したところ２０３ｍｍであった。支持メッシュのストリップのエッジは、層化構造の上部エッジから６０ｍｍ離隔し、かつ、その構造の底部エッジから６５ｍｍ離隔して位置した。接着部周辺をはみ出た余分な材料を除去し、側方エッジで接着線をはみ出た部分すなわち支持メッシュの中心線に近接する部分で、５０ｍｍの長さ×２０ｍｍの幅を有する部分はそのままにして、ヘッドバンド取付手段まを形成した。
層化構造の上部エッジは、支持メッシュの最も近いエッジに近接する長さ方向に折り畳んで、内側カバーが、上部折り目から３９ｍｍの距離でそれ自体に接触して第１の部材を形成し、残りの２１ｍの層化構造が付加的な部分を形成するように上部折り目を形成した。層化構造の下部エッジを支持メッシュの最も近いエッジに近接する長さ方向に折り畳んで、内側カバーがそれ自体に対して３９ｍｍの距離だけ離隔して接触して第２の部材を形成し、残りの２６ｍｍが付加的な部分を形成するように、下部折り目を形成した。次に、付加的な部分の内側被覆層は相互に接触させた。上部および下部の折り目の間に位置する接触部、第１の部材、第２の部材をその側方エッジでシールした。
約５ｍｍの幅×１４０ｍｍの長さの可鍛ノーズクリップを第１の部材に取り付けられる付加的な部分の外面に取付けて、約１５ｍｍの幅×１４０ｍｍの長さのノーズフォームのストリップをノーズクリップに実質的に位置合わせした付加的な部分の内面に取り付けた。付加的部分を、各外側カバーが第１および第２の部材の外側カバーに接触するように折り畳んだ。
ヘッドバンド取付手段を形成させた層化構造の自由端を層化構造の接着エッジに折り畳んで、接着し、ループを形成した。ヘッドバンド弾性材料をループを介してねじ込み、上述のように形成された呼吸用装置を着用者の顔に固定する手段を提供した。
例２
第１および第２の層化シート構造（３５０ｍｍ×３００ｍｍ）を例１と同様に製造したが、支持メッシュを省略した点では異なっていた。曲線接着部を各シートの長いエッジに沿って形成し、接着部の凸部をはみ出た余剰材料を除去した。第３の層化シート構成は、例１と同様に製造したが、５層各々が実質的に同一の拡がりを有する点では異なっていた。第１の層化シート構造を内側カバーと接触させながら第３のシート構造の上に配置した。第１および第３のシート構造を、第１のシート構造の接着されていない長いエッジ付近の曲線接着部を用いて、１６５ｍｍの幅および３２ｍｍの深さを有する第１の楕円状呼吸用装置部材を形成した。曲線接着部の各半径は１４５ｍｍだった。
第３のエッジに接着されていない第１のシートのエッジを第３のシートに接着される第１のシートのエッジ方向に折り返した。第２のシート構造を折り畳まれる第１のシート構造の上に配置し、第３のシートを部分的に被覆した。第２および第３のシート構造を、曲線接着部を使用して一緒に接着し、１６５ｍｍの幅および３２ｍｍの深さを有する第２のシートから第２の呼吸用装置部材と、第３のシート構造から１６５ｍｍの幅および６４ｍｍの高さを有する楕円形の中心の呼吸用装置部分を形成した。楕円部分の外側の材料を除去した。第１および第２の部材は、中心部から折り曲げた。
可鍛アルミニウムノーズクリップを第１の部材の周囲の外面に取付けて、ノーズフォームのストリップをノーズクリップと実質的に位置あわせして内面に取り付けた。ヘッドバンド取付手段を、中心部と第１および第２の部材の間の接着部が合う点で取付け、ヘッドバンド弾性材料を取付手段を介してねじ込んで着用者が容易に装着できる呼吸用装置を形成した。
本発明の各種の修飾および変更は、本発明の範囲および精神を逸脱せずに成され得ることは当業者らには明らかであり、本発明は、具体的に説明するために本文に記載された例に限定されるべきではない。
【図１】
0004130474.tif 000002
【図２】
0004130474.tif 000003
【図３】
0004130474.tif 000004
【図４】
0004130474.tif 000005
【図５】
0004130474.tif 000006
【図６】
0004130474.tif 000007
【図７】
0004130474.tif 000008
【図８】
0004130474.tif 000009
【図９】
0004130474.tif 000010
【図１０】
0004130474.tif 000011
【図１１】
0004130474.tif 000012
【図１２】
0004130474.tif 000013
【図１３ａ】
0004130474.tif 000014
【図１３ｂ】
0004130474.tif 000015
【図１３ｃ】
0004130474.tif 000016
【図１３ｄ】
0004130474.tif 000017
【図１３ｅ】
0004130474.tif 000018
【図１３ｆ】
0004130474.tif 000019
【図１３ｇ】
0004130474.tif 000020
【図１３ｈ】
0004130474.tif 000021
【図１３ｉ】
0004130474.tif 000022
【図１３ｊ】
0004130474.tif 000023
【図１３ｋ】
0004130474.tif 000024
【図１３ｌ】
0004130474.tif 000025
【図１３ｍ】
0004130474.tif 000026
【図１３ｎ】
0004130474.tif 000027
【図１３ｏ】
0004130474.tif 000028
【図１３ｐ】
0004130474.tif 000029
【図１４】
0004130474.tif 000030
【図１５】
0004130474.tif 000031
【図１６】
0004130474.tif 000032
【図１７】
0004130474.tif 000033
【図１８】
0004130474.tif 000034
【図１９】
0004130474.tif 000035
【図２０】
0004130474.tif 000036
【図２１】
0004130474.tif 000037